(57)【特許請求の範囲】
【請求項１】
上方に開放する合成樹脂製のハウジングの開口部に臨むように複数配列され且つそれぞれ固定片部及び弾性片部を上下に対向させるフォーク状接触子と、上記ハウジングの開口部を開閉自在な合成樹脂製の蓋部材とを備え、
上記蓋部材は、ハウジング又はハウジングに保持される部材の回動支持部によって、上記開口部を閉じる閉じ位置と開放位置との間を回動中心の回りに回動自在に支持され、
上記蓋部材の一端部は、蓋部材を閉じ位置に変位させる際、弾性片部上に配置されたフレキシブル基板と固定片部との間に挟持される被挟持部を含み、
この被挟持部は、蓋部材が閉じ位置にある状態でフレキシブル基板を弾性片部に加圧する加圧部を含むフレキシブル基板用コネクタにおいて、
上記蓋部材の加圧部に近接する位置に、蓋部材の開閉に際して接触子の固定片部の先端の出入りを許容する透孔が形成されており、
上記回動中心は固定片部又は被挟持部と重なる位置に配置されることを特徴とするフレキシブル基板用コネクタ。
【請求項２】
上方に開放する合成樹脂製のハウジングの開口部に臨むように複数配列され且つそれぞれ固定片部及び弾性片部を上下に対向させるフォーク状接触子と、上記ハウジングの開口部を開閉自在な合成樹脂製の蓋部材とを備え、
上記蓋部材は、ハウジング又はハウジングに保持される部材の回動支持部によって、上記開口部を閉じる閉じ位置と開放位置との間を回動中心の回りに回動自在に支持され、
上記蓋部材の一端部は、蓋部材を閉じ位置に変位させる際、弾性片部上に配置されたフレキシブル基板と固定片部との間に挟持される被挟持部を含み、
この被挟持部は、蓋部材が閉じ位置にある状態でフレキシブル基板を弾性片部に加圧する加圧部を含むフレキシブル基板用コネクタにおいて、
上記蓋部材の加圧部に近接する位置に、蓋部材の開閉に際して接触子の固定片部の先端の出入りを許容する透孔が形成されており、
上記蓋部材の一端部は、蓋部材が閉じ位置にある状態でフレキシブル基板の表面に対向し上記加圧部を構成する閉鎖時対向部と、蓋部材が開放位置にある状態で挿抜されるフレキシブル基板の表面に対向する開放時対向部とを備え、
上記回動中心から閉鎖時対向部までの距離を開放時対向部までの距離よりも大きくしてあることを特徴とするフレキシブル基板用コネクタ。
【請求項３】
上記開放時対向部はフレキシブル基板の挿入方向にいくにしたがって、フレキシブル基板の表面に近づく傾斜状案内面を含むことを特徴とする請求項２記載のフレキシブル基板用コネクタ。
【請求項４】
上方に開放する合成樹脂製のハウジングの開口部に臨むように複数配列され且つそれぞれ固定片部及び弾性片部を上下に対向させるフォーク状接触子と、上記ハウジングの開口部を開閉自在な合成樹脂製の蓋部材とを備え、
上記蓋部材は、ハウジング又はハウジングに保持される部材の回動支持部によって、上記開口部を閉じる閉じ位置と開放位置との間を回動中心の回りに回動自在に支持され、
上記蓋部材の一端部は、蓋部材を閉じ位置に変位させる際、弾性片部上に配置されたフレキシブル基板と固定片部との間に挟持される被挟持部を含み、
この被挟持部は、蓋部材が閉じ位置にある状態でフレキシブル基板を弾性片部に加圧する加圧部を含むフレキシブル基板用コネクタにおいて、
上記蓋部材の加圧部に近接する位置に、蓋部材の開閉に際して接触子の固定片部の先端の出入りを許容する透孔が形成されており、
閉じ位置にある蓋部材の加圧部の加圧中心は、上記所定の回動軸線よりも蓋部材の先端寄りに位置することを特徴とする請求項１記載のフレキシブル基板用コネクタ。
【請求項５】
上記フォーク状接触子は、フレキシブル基板の挿入方向に沿ってハウジングの前側から装着される複数の第１の接触子と、フレキシブル基板の引き抜き方向に沿ってハウジングの後ろ側から装着される複数の第２の接触子とを含み、
これら第１及び第２の接触子は交互に並べて配列されており、
蓋部材の被挟持部は第２の接触子の固定片部とフレキシブル基板との間に挟持された状態で、その加圧部がフレキシブル基板を第２の接触子の弾性片部に加圧することを特徴とする請求項１ないし４の何れか一つに記載のフレキシブル基板用コネクタ。
【発明の詳細な説明】
【０００１】
【発明の属する技術分野】
本発明はＦＰＣと称される平形柔軟ケーブルやＰＣＢを接続するために用いるフレキシブル基板用コネクタに関する。
【０００２】
【従来の技術】
従来、この種のコネクタとして、上方に開放する開口部を有する合成樹脂製のハウジングと、このハウジングの開口部に臨むように配列される固定片部及び弾性片部を上下に対向させる複数のフォーク状接触子と、上記ハウジングの開口部を開閉することのできる合成樹脂製の蓋部材とを備えるものがある。
【０００３】
上記蓋部材の一端部の両側部には一対の突部からなる支軸が設けられており、これらの支軸がハウジング（又はハウジングにより保持される部材）の回動支持部によって支持された状態で、蓋部材が上記開口部を閉じる閉じ位置と開放位置との間を回動するようになっている。
また、上記蓋部材の一端部に、接触子のフレキシブル基板に対する接触圧力を高くするために加圧部を設けるものがある。この加圧部は、蓋部材が閉じ位置にある状態で、弾性片部上に配置されたフレキシブル基板と固定片部との間に挟持されると共に、フレキシブル基板を弾性片部に加圧する。
【０００４】
【発明が解決しようとする課題】
このコネクタでは、図１０に二点鎖線で示す蓋部材９１の開放時において、蓋部材９１の一端部９２にある加圧部９３に近接する部分９４と固定片部９５とが干渉しないようにしなければならない。
また、蓋部材９１が回動中心９６の回りに回動して、二点鎖線で示す開放位置から実線で示す閉じ位置に至る過程で、加圧部９３を含む一端部９２と弾性片部９７との間にフレキシブル基板を収容できる高さｃが常に確保されていなければならさない。
【０００５】
さらに、回動中心９６の回りに回動させて、蓋部材９１の一端部９２の加圧部９３を、蓋部材９１の閉じ状態で、固定片部９５の下方へ潜り込ませる必要がある。
上記のような諸条件を満足させるためには、必然的に回動中心９６と、上記加圧部９３を有する蓋部材９１の一端部９２との間の距離ｄを長くする必要がある。この場合、蓋部材９１の開閉時に、一端部９２が回動中心９６の回りに大きく回動することになり、この回動を許容するためには、固定片部９５と弾性片部９７との間隔ｅを広くする必要があり、その結果、コネクタの高さが高くなってしまう。また、蓋部材９１の閉じ位置において、回動中心９６を加圧部９３からかなり上方に配置する必要があり、蓋部材９１が厚肉化する結果、この点からもコネクタの高さが高くなってしまう。
【０００６】
そこで、カム機構によって回動中心を移動させながら蓋部材を回動させるコネクタが提供されているが（例えば特許第２８２４７４７号公報参照）、構造が複雑となる。
本発明は上記課題に鑑みてなされたものであり、構造が簡単でフレキシブル基板に対する接触圧力が高くてしかも低背化を達成できるフレキシブル基板用コネクタを提供することを目的とする。
【０００７】
【課題を解決するための手段】
上記目的を達成するための課題解決手段として、請求項１記載の発明の態様は、上方に開放する合成樹脂製のハウジングの開口部に臨むように複数配列され且つそれぞれ固定片部及び弾性片部を上下に対向させるフォーク状接触子と、上記ハウジングの開口部を開閉自在な合成樹脂製の蓋部材とを備え、上記蓋部材は、ハウジング又はハウジングに保持される部材の回動支持部によって、上記開口部を閉じる閉じ位置と開放位置との間を回動中心の回りに回動自在に支持され、上記蓋部材の一端部は、蓋部材を閉じ位置に変位させる際、弾性片部上に配置されたフレキシブル基板と固定片部との間に挟持される被挟持部を含み、この被挟持部は、蓋部材が閉じ位置にある状態でフレキシブル基板を弾性片部に加圧する加圧部を含むフレキシブル基板用コネクタにおいて、上記蓋部材の加圧部に近接する位置に、蓋部材の開閉に際して接触子の固定片部の先端の出入りを許容する透孔が形成されており、上記回動中心は固定片部又は被挟持部と重なる位置に配置されることを特徴とするものである。
【０００８】
本態様では、開放時の蓋部材と固定片部の先端との干渉を透孔により回避できるので、固定片部と回動中心の関係を自由に設定することができ、回動中心と加圧部までの距離を短くして低背化を図りつつ加圧部による十分な加圧を得るようなレイアウトが可能となる。
また、上記回動中心は固定片部と重なる位置又は固定片部と弾性片部の間の位置に配置されるので、下記の利点がある。すなわち、回動中心をこのようにレイアウトすることにより、回動中心と加圧部までの距離を短くして低背化を図りつつ、加圧部によるフレキシブル基板に対する十分な加圧を得ることが実質的に可能となる。
【０００９】
請求項２記載の発明の態様は、上方に開放する合成樹脂製のハウジングの開口部に臨むように複数配列され且つそれぞれ固定片部及び弾性片部を上下に対向させるフォーク状接触子と、上記ハウジングの開口部を開閉自在な合成樹脂製の蓋部材とを備え、上記蓋部材は、ハウジング又はハウジングに保持される部材の回動支持部によって、上記開口部を閉じる閉じ位置と開放位置との間を回動中心の回りに回動自在に支持され、上記蓋部材の一端部は、蓋部材を閉じ位置に変位させる際、弾性片部上に配置されたフレキシブル基板と固定片部との間に挟持される被挟持部を含み、この被挟持部は、蓋部材が閉じ位置にある状態でフレキシブル基板を弾性片部に加圧する加圧部を含むフレキシブル基板用コネクタにおいて、上記蓋部材の加圧部に近接する位置に、蓋部材の開閉に際して接触子の固定片部の先端の出入りを許容する透孔が形成されており、上記蓋部材の一端部は、蓋部材が閉じ位置にある状態でフレキシブル基板の表面に対向し上記加圧部を構成する閉鎖時対向部と、蓋部材が開放位置にある状態で挿抜されるフレキシブル基板の表面に対向する開放時対向部とを備え、上記回動中心から閉鎖時対向部までの距離を開放時対向部までの距離よりも大きくしてあることを特徴とするものである。
【００１０】
本態様では、蓋部材を開放したときに開放時対向部と弾性片部との間にフレキシブル基板を容易に挿抜でき、しかも蓋部材を閉じたときに、閉鎖時対向部としての加圧部によってフレキシブル基板を十分に加圧することができる。
請求項３記載の発明の態様は、請求項２において、上記開放時対向部はフレキシブル基板の挿入方向にいくにしたがって、フレキシブル基板の表面に近づく傾斜状案内面を含むことを特徴とするものである。本態様では、蓋部材が開放された状態で、フレキシブル基板を開放時対向部の傾斜状案内面に沿ってスムーズに挿入することができる。
【００１１】
請求項４記載の発明の態様は、上方に開放する合成樹脂製のハウジングの開口部に臨むように複数配列され且つそれぞれ固定片部及び弾性片部を上下に対向させるフォーク状接触子と、上記ハウジングの開口部を開閉自在な合成樹脂製の蓋部材とを備え、上記蓋部材は、ハウジング又はハウジングに保持される部材の回動支持部によって、上記開口部を閉じる閉じ位置と開放位置との間を回動中心の回りに回動自在に支持され、上記蓋部材の一端部は、蓋部材を閉じ位置に変位させる際、弾性片部上に配置されたフレキシブル基板と固定片部との間に挟持される被挟持部を含み、この被挟持部は、蓋部材が閉じ位置にある状態でフレキシブル基板を弾性片部に加圧する加圧部を含むフレキシブル基板用コネクタにおいて、上記蓋部材の加圧部に近接する位置に、蓋部材の開閉に際して接触子の固定片部の先端の出入りを許容する透孔が形成されており、閉じ位置にある蓋部材の加圧部の加圧中心は、上記所定の回動軸線よりも蓋部材の先端寄りに位置することを特徴とするものである。本態様では、加圧部がフレキシブル基板を加圧することにより受ける反力が、蓋部材を回動中心の回りに閉じ方向に付勢するモーメントを生じさせる。
【００１２】
請求項５記載の発明の態様は、請求項１ないし４の何れか一つにおいて、上記フォーク状接触子は、フレキシブル基板の挿入方向に沿ってハウジングの前側から装着される複数の第１の接触子と、フレキシブル基板の引き抜き方向に沿ってハウジングの後ろ側から装着される複数の第２の接触子とを含み、これら第１及び第２の接触子は交互に並べて配列されており、蓋部材の被挟持部は第２の接触子の固定片部とフレキシブル基板との間に挟持された状態で、その加圧部がフレキシブル基板を第２の接触子の弾性片部に加圧することを特徴とするものである。本態様によれば、第１の接触子に対して交互に配置される複数の第２の接触子の加圧部によって、フレキシブル基板を確実に加圧することができる。
【００１３】
【発明の実施の形態】
本発明の好ましい実施形態を添付図面を参照しつつ説明する。
図１は本発明の一実施形態のフレキシブル基板用コネクタ及びＦＰＣの分解斜視図である。図２は蓋部材を開放した状態のフレキシブル基板用コネクタの平面図である。図１及び図２を参照して、本フレキシブル基板用コネクタ１（以下では、単にコネクタ１ともいう）は前方からフレキシブル基板２（以下では、単にＦＰＣ２ともいう）が挿抜される挿抜空間３を区画する合成樹脂製のハウジング４を備えている。このハウジング４の前半分は、ハウジング４の上板部５の開口部６を介して上方に向け開放しており、この開口部６を回動により開閉することのできる合成樹脂成形品からなる蓋部材７が設けられている。
【００１４】
４５は蓋部材７に埋設された金属製の線材であり、その両端部に回動支軸Ａを設けている。５１も蓋部材７に埋設された金属製の補強用線材であり、その両端部に成形時に金型により保持される突起Ｃを設けている。各係止突起Ｃは、図３（ａ）及び（ｂ）に示すように、ハウジング４に固定される金属板からなる対応する補強タブ１０のロック溝５０に係止されて、蓋部材７の閉じ状態をロックする。５３，５４は線材４５，５１の一部を蓋部材７の外部に露出させるための開口である。
【００１５】
ハウジング４の対向する側板部８，９は、挿抜空間３の両側部を区画している。側板部８，９の前端面には、蓋部材７の両側方へ突出する一対の回動支軸Ａを支持するための金属板からなる補強タブ１０を前側から収容し固定する固定孔１１（図１では示されていないが、図２及び図２のIII −III 線に沿う断面図である図３を参照）が開口している。
【００１６】
図３を参照して、補強タブ１０は、固定孔１１内に前側から挿入されて係止突起を介して固定される主体部１２と、主体部１２の前端から上方へ延設される延設片１３により区画される凹溝からなり且つ回動支軸Ａを回動自在に支持する回動支持部１４と、主体部１２の前端から下方に延設され、基板表面に半田付けされる鉤形状の固定部１５を有している。また、主体部１２の前端上部には延設片５７が延設され、この延設片５７の前端面に、係止突起Ｃと係合して蓋部材７の閉じ状態をロックする上記したロック溝５０が形成されている。回動支持部１４としての凹溝に導入された回動支軸Ａに、ハウジング４の当接部６０を当接させることによって、回動支軸Ａを凹溝内に保持している。
【００１７】
再び図１及び図２を参照して、側板部８，９には前方へ延びる延設部１７，１８が形成されている。各延設部１７，１８は、側板部８，９よりも肉薄であり、近接する固定孔１１よりも外側方に位置して開口部６の両側部まで延びている。１９，２０はハウジング４の下板部１６の前部の両側縁から立ち上がる案内壁であり、各案内壁１９，２０は、蓋部材７の閉じ状態で、蓋部材７の側縁に形成された対応する凹溝２１内に導入され、蓋部材７を左右方向の移動を規制する。
【００１８】
また、ハウジング４の挿抜空間３には、各複数のフォーク状の第１及び第２の接触子２２，２３が互い違いの横並びの２列に配列されている。
図１、図２及び図２のIV−IV線に沿う断面図である図４を参照して、第１の接触子２２は金属部材からなりハウジング４の挿抜空間３に前側から挿入されて固定されている。図４を参照して、第１の接触子２２は、ハウジング４の下板部１６の上面に形成された収容溝２４に前側からＦＰＣ２の挿入方向に沿って収容される固定片部２５と、挿抜空間３の後半部において固定片部２５の上方に配置される弾性片部２６とを備えている。
【００１９】
固定片部２５と弾性片部２６との連結部分からは、係止突起を有する係止片２７が後方へ延びており、この係止片２７は、ハウジング４の固定孔２８内に挿入されて固定される。また、固定片部２５の前端には逆Ｔ字形形状をなすリード部２９が設けられている。リード部２９は、本コネクタ４が実装される基板表面に半田付けされると共に、ハウジング４の下板部１６の前縁に係止して固定片部２５の浮き上がりを防止する。３０，３１は固定片部２５及び弾性片部２６に互いに対向するように形成された山形突起であり、挿入されたＦＰＣ２をこれら山形突起３０，３１間に挟持して接圧を確保する。
【００２０】
図１、図２及び図２のＶ−Ｖ線に沿う断面図である図５を参照して、第２の接触子２３は金属部材からなり、ハウジング４の挿脱空間３に後側からＦＰＣ２の引き抜き方向に沿って挿入されて固定されている。図５を参照して、第２の接触子２３は、ハウジング４の上部の固定孔３２に後側から挿入されて固定される係止突起付きの固定片部３３と、ハウジング４の下板部１６の上面に形成された収容溝３４に後側から収容され、固定片部３３の下方に位置する弾性片部３５と、固定片部３３と弾性片部３５の後端部を連結する主体部３６と、主体部３６から後ろ斜め下方へ延びて基板表面に半田付けされるリード部３７とを備える。
【００２１】
固定片部３３及び弾性片部３５のそれぞれの前端３８，３９はハウジング４の前後方向の中間部まで延びている。固定片部３３の前端３８は図５に示す蓋部材７の閉じ状態で蓋部材７に形成された透孔４０内に侵入すると共に、図６及び図７に示すような蓋部材７の閉じ状態で、蓋部材７の一端縁に設けられた開放部分Ｂを介して外部上方へ臨むようになっている。このように蓋部材７が閉じた状態で開放部分Ｂを介して、導通検査プローブを第２の接触子２３の固定片部３３の前端３８に接触させることにより、容易に導通検査が行える。
【００２２】
一方、弾性片部３５の前端３９にはＦＰＣ２と接圧を確保するための上向きの山形突起４１が形成されている。
図１、及び蓋部材の平面図である図６を参照して、蓋部材７は略矩形の板状をしており、相対向する第１及び第２の端縁４２，４３を有している。第１の端縁４２の相対向する左右の側部４４，４４からは上記した一対の回動支軸Ａがそれぞれ突出している。
【００２３】
これら一対の回動支軸Ａは蓋部材７の成形時に埋設された金属製の線材４５の露出する対向端部４６，４６により構成されている。上記線材４５は全体がクランク形状をなし、その中間部４７が第１の端縁４２から所定距離離して平行に延びている。
蓋部材７の第１の端縁４２には、図５に示すように第２の接触子２３の前端３８を出入りさせるための複数の透孔４０が横並びに配置されている。図７において透孔４０よりも第１の端縁４２の先端側にある部分に加圧部６１が設けられている。
【００２４】
加圧部６１は蓋部材７を閉じ位置に変位させる際、図７に示すように、第２の接触子２３の弾性片部３５上に配置されたＦＰＣ２と固定片部３３との間に挟持された状態で、ＦＰＣ２を弾性片部３５に加圧するものである。蓋部材７の第２の端縁４３の相対向する左右の側部４９，４９にはそれぞれ、上記一対の突起Ｃが突出形成されている。
【００２５】
上記一対の突起Ｃは蓋部材７の成形時に埋設された金属製の補強線材５１の露出する対向端部５２，５２により構成されている。上記補強線材５１は全体がクランク形状をなし、その中間部５２が第２の端縁４３から所定距離離して平行に延びている。
図６を参照して、５３は線材４５を１ないし複数箇所露出させる開口であり、５４は線材５１の中間部を１ないし複数箇所露出させる開口である。これらの開口５３，５４は下記の役割を果たす。すなわち、金属製の線材４５，５１を蓋部材７の成形時にインサートして蓋部材７の成形品に埋設するためには、金属製の線材４５，５１を成形金型内に所定の姿勢で支持しておく必要であるが、金型内において開口５３，５４に対応する部位に広幅の支持ピン（インサートピン）を配置することが可能となる。したがって、線材５３，５４を金型内に安定して支持することができる結果、成形品において線材４５，５１の対向端部からなる回動支軸Ａ及び突起Ｃの位置精度を高くすることができる。
【００２６】
次いで、図５の要部拡大図である図８、及び図７の要部拡大図である図９を参照して、加圧部６１の周辺構造について説明する。
上記蓋部材７の第１の端縁４２は、図９に示すように蓋部材７が閉じ位置にある状態で、弾性片部３５上に配置されたＦＰＣ２と固定片部３３との間に挟持される被挟持部６２を有している。この被挟持部６２は、図９に示すように蓋部材７が閉じ位置にある状態でＦＰＣ２の表面２ａに対向する閉鎖時対向部としての加圧部６１と、図８に示すように蓋部材７が開放位置にある状態で挿抜されるフレキシブル基板２の表面２ａに対向する開放時対向部としての傾斜状案内面６３とを備えている。
【００２７】
回動支軸Ａの軸心である回動中心Ａ１は、回動支軸Ａの軸方向からみて、被挟持部６２と重なる位置に配置されており、回動中心Ａ１と閉鎖時対向部としての加圧部６１との距離ｇは、回動中心Ａ１と開放時対向部としての傾斜状案内面６３と距離ｈよりも大きくされている。これにより、蓋部材７を開放したときに、開放時対向部としての傾斜状案内面６３と弾性片部３５との間にＦＰＣ２を容易に挿抜でき、しかも蓋部材７を閉じたときに、閉鎖時対向部としての加圧部６１によってＦＰＣ２を十分に加圧することが可能となる。
【００２８】
上記の傾斜状案内面６３は、図８に示す蓋部材７の開放状態において、ＦＰＣ２の挿入方向Ｘにいくにしたがって、ＦＰＣ２の表面２ａに近づくように、上記挿入方向Ｘに対して傾斜している。これにより、蓋部材７が開放された状態で、ＦＰＣ２を傾斜状案内面６３に沿ってスムーズに挿抜することができる。なお、傾斜状案内面６３は開放時対向部の一部として形成しても良い。
【００２９】
また、図９に示すように、閉じ位置にある蓋部材７の被挟持部６２が弾性片部３５上のＦＰＣ２と固定片部３３との間に挟持された状態で、上記閉鎖時対向部としての加圧部６１がＦＰＣ２を弾性片部３５の山形突起４１側へ加圧する。
図９に示す蓋部材７が閉じ位置にある状態で、加圧部６１がＦＰＣ２を加圧する加圧中心Ｇの位置、すなわち分布する加圧力の合力Ｆが働く位置は、回動中心Ａ１よりも蓋部材７の先端（第１の端縁４２）寄りに位置する。その結果、加圧部６１がＦＰＣ２から受ける加圧反力Ｒが、蓋部材７を図９において回動中心Ａ１を中心として反時計回りに回動させる（すなわち蓋部材７を閉じ付勢する）モーメントを生じさせることになり、その結果、いわゆるセルフロックが強くなり、蓋部材７が不用意に開放してしまうようなことがない。
【００３０】
本実施の形態によれば、開放時の蓋部材７と固定片部３３の前端３８との干渉を透孔４０により回避できるので、回動中心Ａ１を被挟持部６２に重ねて配置することが可能となる。これにより、回動中心Ａ１と加圧部６１との距離を短くしてコネクタ１の低背化を図りつつ加圧部６１による十分な加圧を得ることができる。すなわち、透孔４０を設けるという構造が簡単にて、ＦＰＣ２に対する接触圧力が高くて高さの低いコネクタ１を提供することができる。
【００３１】
なお、本発明は上記実施形態に限定されるものではなく、例えば、上記の実施の形態では、複数の第２の接触子２３の固定片部３３の全てが、蓋部材７の被挟持部６２を潜り込ませる前端３８を有するものとしたが、これに限らず、少なくとも一部の固定片部３３が蓋部材７の被挟持部６２を潜り込ませる前端３８を有するものとしても良い。
【００３２】
また、上記実施の形態では、第１及び第２の接触子２２，２３を交互に配列するコネクタとしたが、これに限らず、第２の接触子２３のみを配置するコネクタとしても良い。
さらに、加圧部は閉鎖時対向部の一部に設けるようにしても良い。また、回動中心Ａ１を固定片部３３とが重なるレイアウトを採用しても良い。
【００３３】
また、本発明はＦＰＣに代えてＰＣＢを接続する場合にも適用することができる。その他、本発明を縦型のコネクタにも適用すること等、本発明の範囲で種々の変更を施すことができる。
【００３４】
【発明の効果】
請求項１記載の発明では、開放時の蓋部材と固定片部の先端との干渉を透孔により回避できるので、回動中心と加圧部との距離を短くして低背化を図りつつ加圧部による十分な加圧を得るような回動中心のレイアウトが可能とな。結果として、透孔を設けるという構造が簡単にて、ＦＰＣに対する接触圧力が高くて高さの低いコネクタを提供できる。
【００３５】
請求項２記載の発明では、回動中心を固定片部又は被挟持部に重ねてレイアウトすることによって、回動中心と加圧部との距離を短くして低背化を図りつつ、加圧部によるＦＰＣに対する十分な加圧を得ることが実質的に可能となる。
請求項３記載の発明では、蓋部材を開放したときに開放時対向部と弾性片部との間にフレキシブル基板を容易に挿抜でき、しかも蓋部材を閉じたときに、閉鎖時対向部としての加圧部によってフレキシブル基板を十分に加圧することができる。
【００３６】
請求項４記載の発明では、蓋部材が開放された状態で、フレキシブル基板を開放時対向部の傾斜状案内面に沿ってスムーズに挿入することができる。
請求項５記載の発明では、加圧部がフレキシブル基板から受ける加圧反力が、蓋部材を閉じ付勢させるモーメントを生じさせるので、蓋部材が不用意に開放してしまうようなことがない。
【００３７】
請求項６記載の発明では、第１の接触子に対して交互に配置される複数の第２の接触子の加圧部によって、フレキシブル基板を確実に加圧することができる。
【図面の簡単な説明】
【図１】本発明の一実施形態のＦＰＣ用コネクタとＦＰＣの分解斜視図である。
【図２】蓋部材を開放した状態のコネクタの一部欠載平面図である。
【図３】（ａ）は図２のIII −III 線に沿う断面図であり、（ｂ）は（ａ）の蓋部材が閉じられた状態を示している。ただし補強タブについては断面を表すハッチングを省略してある。
【図４】図２のIV−IV線に沿う断面図である。ただし第１の接触子については断面を表すハッチングを省略してある。
【図５】図２のＶ−Ｖ線に沿う断面図であり蓋部材を開放した状態を示している。ただし第２の接触子については断面を表すハッチングを省略してある。
【図６】蓋部材の一部欠載平面図である。
【図７】蓋部材を閉じてＦＰＣを接続した状態の、図５に対応するコネクタの断面図である。
【図８】図５の要部の拡大図である。
【図９】図７の要部の拡大図である。
【図１０】従来のコネクタの要部の概略図である。
【符号の説明】
１    コネクタ
２    ＦＰＣ
３    挿抜空間
４    ハウジング
５    上板部
６    開口部
７    蓋部材
１４  回動支持部
２３  第２の接触子
３３  固定片部
３５  弾性片部
３８  前端
４０  透孔
４２  第１の端縁（一端部）
Ａ    回動支軸
Ａ１  回動中心
６１  加圧部（閉鎖時対向部）
６２  被挟持部
６３  傾斜状案内面（開放時対向部）
【図１】
0004205259.tif 000002
【図２】
0004205259.tif 000003
【図３】
0004205259.tif 000004
【図４】
0004205259.tif 000005
【図５】
0004205259.tif 000006
【図６】
0004205259.tif 000007
【図７】
0004205259.tif 000008
【図８】
0004205259.tif 000009
【図９】
0004205259.tif 000010
【図１０】
0004205259.tif 000011